(57)【要約】【課題】外壁に勾配を有する擁壁のコーナー部分を施工するのに適したコンクリート製品を提供する。【解決手段】擁壁のコーナー部分を施工するためのコンクリート製品であって、コンクリート製の第１の壁体と、第１の壁体の左または右に隣接して配置されるコンクリート製の第２の壁体とを有する。第１の壁体は、第２の壁体と隣接する側の下側に第１の円錐台状の第１の接続部を含み、第２の壁体は、第１の壁体と隣接する側の上側に、第１の接続部に同軸状に繋がり、第１の円錐台状の上部に連続した円錐台形状を形成する第２の円錐台状の第２の接続部を含む。【選択図】図１
2020139266.tif 000002
【特許請求の範囲】
【請求項１】
擁壁のコーナー部分を施工するためのコンクリート製品であって、
コンクリート製の第１の壁体と、
前記第１の壁体の左または右に隣接して配置されるコンクリート製の第２の壁体とを有し、
前記第１の壁体は、前記第２の壁体と隣接する側の下側に第１の円錐台状の第１の接続部を含み、
前記第２の壁体は、前記第１の壁体と隣接する側の上側に、前記第１の接続部に同軸状に繋がり、前記第１の円錐台状の上部に連続した円錐台形状を形成する第２の円錐台状の第２の接続部を含む、コンクリート製品。
【請求項２】
請求項１において、
前記第１の壁体および前記第２の壁体の少なくとも一方の壁体は、前記第１の接続部および前記第２の接続部の外周面の勾配と共通の勾配の外壁面を含む、コンクリート製品。
【請求項３】
請求項１ないし２のいずれかにおいて、
前記第１の壁体の前記第１の接続部および前記第２の壁体の前記第２の接続部の中心軸に沿って延びた孔を含む、コンクリート製品。
【請求項４】
請求項１ないし３のいずれかにおいて、
前記第１の壁体の前記隣接する側の端面の上部は、前記第２の接続部の外面の勾配と共通の勾配の面を含む、コンクリート製品。
【請求項５】
請求項１ないし３において、
前記第２の壁体の前記隣接する側の端面の下部は、前記第１の接続部の外面の勾配と共通の勾配の面を含む、コンクリート製品。
【請求項６】
請求項１ないし５のいずれかにおいて、
前記第１の壁体および前記第２の壁体の内壁面は、上方の壁厚が小さくなるように傾斜している、コンクリート製品。
【請求項７】
請求項１ないし６のいずれかにおいて、
前記第２の壁体は、前記第１の接続部に同軸状に繋がり、前記第１の円錐台状の下部に連続した円錐台形状を形成する第３の円錐台状の第３の接続部を含む、コンクリート製品。
【請求項８】
請求項１ないし６のいずれかにおいて、
前記第１の壁体は、上半部に前記第１の接続部を含み、前記第２の壁体は、下半部に前記第２の接続部を含む、コンクリート製品。
【請求項９】
コンクリート製の第１の壁体と、前記第１の壁体の左または右に隣接して配置されるコンクリート製の第２の壁体とを用いて擁壁のコーナー部分を施工する方法であって、
前記第１の壁体は、前記第２の壁体と隣接する側の下側に第１の円錐台状の第１の接続部を含み、前記第２の壁体は、前記第１の壁体と隣接する側の上側に、前記第１の接続部に同軸状に繋がり、前記第１の円錐台状の上側に連続した円錐台形状を形成する第２の円錐台状の第２の接続部を含み、前記第１の壁体の前記隣接する側の端面の上部は、前記第２の接続部の外面の勾配と共通の勾配の面を含み、当該施工方法は、
前記第１の壁体の前記第１の接続部および前記第２の壁体の第２の接続部の少なくともいずれかを水平方向に移動して組み合わせる工程を有する、施工方法。
【請求項１０】
請求項９において、
前記第２の壁体は、前記第２の接続部の中心軸に沿って上下に貫通する孔を有し、
連結軸を前記孔に挿入して、第１の接続部および第２の接続部を相対的に回転して角度を調整する工程を有する施工方法。
【請求項１１】
擁壁のコーナー部分を施工するためのコンクリート製品であって、
コンクリート製の第１の壁体であって、左または右に第２の壁体が接続される第１の壁体を有し、
前記第１の壁体は、前記第２の壁体と隣接する側の下部に、前記第２の壁体の前記第１の壁体と隣接する側の上部に設けられた円錐台状の第２の接続部に同軸状に繋がる円錐台状の第１の接続部を含む、コンクリート製品。
【請求項１２】
擁壁のコーナー部分を施工するためのコンクリート製品であって、
コンクリート製の第２の壁体であって、左または右に第１の壁体が接続される第２の壁体を有し、
前記第２の壁体は、前記第１の壁体と隣接する側の上部に、前記第１の壁体の前記第２の壁体と隣接する側の下部に設けられた円錐台状の第１の接続部に同軸状に繋がる円錐台状の第２の接続部を含む、コンクリート製品。
【請求項１３】
請求項１ないし８に記載のコンクリート製品の前記第１の壁体および前記第２の壁体を含むコーナー部分を有する擁壁。
【発明の詳細な説明】
【技術分野】
【０００１】
本発明は、擁壁として用いられるコンクリート製品およびその施工方法に関するものである。
【背景技術】
【０００２】
特許文献１には、宅地の造成、公園の造成において構築現場において容易に設置可能なＬ型擁壁のコーナーブロック及びその施工方法を課題として、縦壁の下端にほぼ直角に底版を一体に設けたＬ型のコーナーブロックであって、底版の対向面を斜めに形成し、縦壁の一方端に、中央に貫通孔を有する接合部を設けた１対の一方ブロックと他方ブロックの前記接合部を軸棒で軸着して蝶番構造としたことが開示されている。
【先行技術文献】
【特許文献】
【０００３】
【特許文献１】特開平９−２９６４６１号公報
【発明の概要】
【発明が解決しようとする課題】
【０００４】
この蝶番構造のコーナーブロックは、コーナー部分の角度の調整には便利である。その一方、上下に分離された接合部によりコーナーの頂部が構成されるので、コーナーの左右に配置されるブロックに付属する接合部の軸心が微妙にずれただけで、コーナーの頂部の稜線に、縦方向に、上下の接合部の軸心の微妙なずれによる凸凹が発生しやすい。特に、上側の接合部の軸心が下側の接合部の軸心より多少でも外側にずれると、上側の接合部が下側の接合部より外側に飛び出している印象を与えやすく、擁壁の構造としては問題がないとしても、外観上、不安定感を生じさせる可能性がある。また、多大な労力を使って施工時に稜線を一致できたとしても、施工後に何等かの要因により、接合部の上下に微小なずれが発生することがあり、その場合も同様の現象が発生し得る。さらに、コーナー部においては稜線が目立つので、微小なずれであっても、見た目で把握しやすいという問題もある。
【課題を解決するための手段】
【０００５】
本発明の態様の１つは、擁壁のコーナー部分を施工するためのコンクリート製品であって、コンクリート製の第１の壁体と、第１の壁体の左または右に隣接して配置されるコンクリート製の第２の壁体とを有し、第１の壁体は、第２の壁体と隣接する側の下側に第１の円錐台状の第１の接続部を含み、第２の壁体は、第１の壁体と隣接する側の上側に、第１の接続部に同軸状に繋がり、第１の円錐台状の上部に連続した円錐台形状を形成する第２の円錐台状の第２の接続部を含む。
【０００６】
円錐台状の第１の接続部を含み、第２の壁体は、第１の壁体と隣接する側の上半部に、第１の接続部に同軸状に繋がる円錐台状の第２の接続部を含む。第２の壁体は、第１の接続部に同軸状に繋がり、第１の円錐台状の下部に連続した円錐台形状を形成する第３の円錐台状の第３の接続部を含んでもよい。第１の壁体は、上半部に第１の接続部を含み、第２の壁体は、下半部に第２の接続部を含んでもよい。
【０００７】
このコンクリート製品は、第１の壁体および第２の壁体でコーナー部分を施工する際に、第２の接続部および第１の接続部が上下に接合され、全体として上部に対して下部が広い円錐台状のコーナーが構成され、コーナー部分の外側に上下に表れる稜線は、下側が外側に広がるものとなり、外観は安定した印象を与える形状となる。第１の接続部に対して上側となる第２の接続部は、第１の接続部に対して小さな印象を与え、施工の際、あるいはその後、万一、第２の接続部と第１の接続部との境界部分で第２の接続部の側が外側に微小にずれたとしても、第１の接続部の上に第２の接続部が収まっている印象を与えやすく、構造的な不安定感が発生することを抑制できる。さらに、第２の接続部が第１の接続部に対して外側にずれた場合であっても、第１の接続部の（外周面）稜線が円錐台状に外側に広がっているので、その外周面を基礎としてモルタル等により第２の接続部のずれを埋めることは容易であり、凸凹が目立ちにくい稜線を備えたコーナー部分を施工できる。
【０００８】
さらに、第１の接続部および第２の接続部に連結するよう第１の壁体および第２の壁体の外壁面を形成することが可能であり、第１の壁体および第２の壁体の外壁面の上側に対して下側が外側に広がり、上側が後退した斜度を設けることができる。したがって、このコンクリート製品を用いることにより、全体として、擁壁を外側から見たときに圧迫感が少なく、安定感に優れた印象を与える擁壁を施工し、提供できる。
【０００９】
したがって、第１の壁体および第２の壁体の少なくとも一方の壁体は、第１の接続部および第２の接続部の外周面の勾配と共通の勾配の外壁面を含んでもよい。第１の壁体および第２の壁体の外壁面が、第１の接続部と第２の接続部の外面と凹凸なく連続して接続させてもよく、さらに、外観美に優れたコーナー部分を備えた擁壁を提供できる。
【００１０】
第１の壁体の第１の接続部および第２の壁体の第２の接続部の中心軸に沿って延びた孔を含んでもよい。この孔は、鉛直方向に延び、棒材などを差し込むことにより、それを中心に相対回転可能に連結でき、第１の壁体および第２の壁体が接地面に対して鉛直方向の姿勢を維持しながら、第１の壁体および第２の壁体の成す角度を変えやすく、擁壁のコーナー部分の施工がさらに容易になる。また、この孔にモルタルなどを注入することにより第１の接続部および第２の接続部を固定できる。
【００１１】
第１の壁体の隣接する側の端面の上部は、第２の接続部の外面の勾配と共通の勾配の面を含んでもよい。さらに、第２の壁体の隣接する側の端面の下部は、第１の接続部の外面の勾配と共通の勾配の面を含んでもよい。第１の壁体の隣接する側の端面の上部と第２の接続部の外面との隙間、および第２の壁体の隣接する側の端面の下部と第１の接続部の外面との隙間を小さくできる。また、擁壁を施工する際に、これらの隙間をモルタル等で埋める場合は、施工の手間を軽減できる。
【００１２】
第１の壁体および第２の壁体の内壁面は、上方の壁厚が小さくなるように傾斜していてもよい。外壁面および内壁面に勾配を有する擁壁用のブロック（コンクリート製品）であって、コーナーの角度に応じて現場で角度を変えることができるコンクリート製品を提供できる。
【００１３】
本発明の異なる他の形態の１つは、第１の壁体と第２の壁体とを用いて擁壁のコーナー部分を施工する方法である。第１の壁体の隣接する側の端面の上部が、第２の接続部の外面の勾配と共通の勾配の面を含む場合は、第１の壁体と第２の壁体とを垂直方向の動きだけで組み合わせることが難しい。したがって、当該施工方法は、第１の壁体の第１の接続部および第２の壁体の第２の接続部の少なくともいずれかを水平方向に移動して組み合わせる工程を有する。
【００１４】
また、第２の壁体は、第２の接続部の中心軸に沿って上下に貫通する孔を有し、当該施工方法は、連結軸を孔に挿入して、第１の接続部および第２の接続部を相対的に回転して角度を調整する工程を含んでいてもよい。
【図面の簡単な説明】
【００１５】
【図１】本発明の一実施形態のコーナーブロックを前方（正面）から見た斜視図である。
【図２】コーナーブロックを後方（背面）から見た斜視図である。
【図３】第１のブロックおよび第２のブロックのそれぞれを外側（正面）から見た斜視図である。
【図４】第１のブロックおよび第２のブロックのそれぞれを内側（背面）から見た斜視図である。
【図５】第１のブロックおよび第２のブロックを正面から見た図である。
【図６】第１のブロックおよび第２のブロックの側面図である。
【図７】第１のブロックおよび第２のブロックの平面図である。
【図８】第１のブロックおよび第２のブロックの底面図である。
【図９】コーナーブロックを用いた擁壁を施工する様子を示し、（ａ）は７０度のコーナーを備えた擁壁を施工する様子を示し、（ｂ）は９０度のコーナーを備えた擁壁を施工する様子を示し、（ｃ）は１１０度のコーナーを備えた擁壁を施工する様子を示す図である。
【図１０】コーナーブロックを組み立てる工程を説明する図である。
【図１１】コーナーブロックの異なる例を示す図である。
【図１２】コーナーブロックのさらに異なる例を示す図である。
【発明を実施するための形態】
【００１６】
図１および図２に、コンクリート製品の一例を示している。このコンクリート製品は、コンクリート製の擁壁１のコーナー部分２を施工するためのコーナーブロック５であり、コンクリート製の第１のブロック１０と、第１のブロック１０の左または右に隣接して配置されるコンクリート製の第２のブロック２０とを有する。図１は、コーナー部分２を外側（前方、正面）８から見た斜視図である。図２は、コーナー部分２を内側（後方、背面）７から見た斜視図であり、外側８から見てコーナー３の左側に第１のブロック１０が配置され、右側に第２のブロック２０が配置されている。擁壁１は、宅地造成などの土留を行う必要がある箇所を囲うように施工される。
【００１７】
図３および図４に、第１のブロック１０および第２のブロック２０を分離した状態で示している。第１のブロック１０は、擁壁１の壁面を構成する第１の壁体１１を含み、第２のブロック２０は、擁壁１の壁面を構成する第２の壁体２１を含み、第１の壁体１１と第２の壁体２１とが隣接して所定の角度θで組み合わされて擁壁１のコーナー部分２が施工される。第１の壁体１１は、水平方向に延びた本体１２と、本体１２のコーナー３の側（コーナー側）４、すなわち、第２の壁体２１と隣接する側４の下側に、本体１２と一体となるように設けられた円錐台状の第１の接続部（連結部、接合部、結合部）１３とを含む。第２の壁体２１は、水平方向に延びた本体２２と、本体２２のコーナー３の側（コーナー側）４、すなわち、第１の壁体１１と隣接する側４の上側に、本体２２と一体となるように設けられた円錐台状の第２の接続部２３とを含む。
【００１８】
本例のブロック１０および２０においては、第１の接続部１３は、第１の壁体１１のコーナー側４の下半部を構成するように設けられており、第２の接続部２３は、第２の壁体２１のコーナー側４の上半部を構成するように設けられている。したがって、第１の接続部１３の高さｈ１と、第２の接続部の高さｈ２とは同じまたはほぼ同じになっているが、第１の接続部１３の高さｈ１が第２の接続部の高さｈ２よりも長くてもよく、短くてもよい。第２の壁体２１の円錐台状の第２の接続部２３は、下側を構成する、第１の壁体１１の第１の接続部１３に同軸状に繋がり、第１の接続部１３の円錐台の形状（第１の円錐台状）の上部に、連続した円錐台形状を形成するような第２の円錐台形状を含む。したがって、第１の接続部１３の上に第２の接続部２３が搭載されると、１つの上下に連続した円錐台形状の外面３ａを備えたコーナー３が形成される。
【００１９】
すなわち、第１のブロック１０の円錐台状の第１の接続部１３の上面１３ｂと、第２のブロック２０の円錐台状の第２の接続部２３の下面（底面）２３ｃとは同じ直径または半径を備えた円形に形成されており、第２のブロック２０の接続部２３と、第１のブロック１０の接続部１３とを上下に接続して、擁壁１のコーナー部分２を施工すると、コーナー３の外面（外周面）３ａは、上下に同じ勾配（斜面、テーパー面）を備えた円錐台の形状の一部、すなわち、円錐台状の第１の接続部１３および第２の接続部２３により構成されるコーナー接続部３０の外周面３１の一部により構成される。第１の壁体１１および第２の壁体２１のなす角度θが変わっても、円錐台状の第１の接続部１３および第２の接続部２３により構成されるコーナー接続部３０の外周面３１の基本的な形状は変わらず、コーナー３の外周面３ａは、上下に同じ勾配（斜面、テーパー面）を備えた円錐台状の面が表れる。
【００２０】
上側に行くほど狭くなる円錐台形状の外周面３ａ、すなわち、コーナーの接続部３０の外周面３１の勾配（斜度）は、１〜５％程度であってもよく、２〜４％程度であってもよく、典型的な勾配は３％である。第１の壁体１１の本体１２は、外面（外壁面）１２ａが円錐台状の第１の接続部１３の外周面１３ａと連続するように形成されており、外面１２ａは、上側が下側に対して後退し、接続部１３の外周面１３ａと同様の勾配９で傾いている。第２の壁体２１も同様であり、本体２２の外面（外壁面）２２ａが円錐台状の第２の接続部２３の外周面２３ａと連続するように形成されており、外面２２ａは、上側が下側に対して後退し、外周面２３ａと同様の勾配９で傾いている。
【００２１】
第１のブロック１０および第２のブロック２０を含むコーナーブロック５により、擁壁１のコーナー部分５を施工（製造）すると、第２の接続部２３および第１の接続部１３が上下に接合され、全体として上部に対して下部が広い円錐台状のコーナー接合体（コーナー組立体、コーナーアッセンブリ）３０が構成され、コーナー部分の外側８に上下に表れる稜線（コーナー３の外周面３ａの輪郭）３ｂは、上側３ｃに対して下側３ｄが外側８に広がるものとなり、外観は安定した印象を与える形状となる。したがって、第１の接続部１３に対して上側となる第２の接続部２３は、第１の接続部１３に対して小さな印象を与え、施工の際、あるいはその後、万一、第２の接続部２３と第１の接続部１３との境界部分３３で第２の接続部２３の側が外側８に微小にずれたとしても、第１の接続部１３の上に第２の接続部２３が収まっている印象を与えやすく、構造的な不安定感が発生することを抑制できる。さらに、第２の接続部２３が第１の接続部１３に対して外側８にずれた場合であっても、第１の接続部１３の（外周面）稜線３ｂが円錐台状に外側８に広がっているので、その外周面を基礎としてモルタル等により第２の接続部２３とのずれを埋めることは容易であり、凸凹が目立ちにくい稜線３ａを備えたコーナー部分２を施工できる。
【００２２】
さらに、第１のブロック１０および第２のブロック２０は、第１の接続部１３および第２の接続部２３に連結するよう第１の壁体１１および第２の壁体２１の外壁面１２ａおよび２２ａが形成されている。このため、第１の壁体１１および第２の壁体２１の外壁面１２ａおよび２２ａも、コーナー３の外周面３ａに連続した形状で、上側に対して下側が外側８に広がり、上側が後退した斜度（勾配）が設けられている。したがって、このコーナーブロック（コンクリート製品）５を用いることにより、コーナー部分２を含めて、擁壁１を全体として、外側８から見たときに圧迫感が少なく、安定感に優れた印象を与える擁壁１として施工し、提供できる。
【００２３】
図３〜図８を用いて、コーナーブロック５を構成する第１のブロック１０および第２のブロック２０をさらに詳細に説明する。図３は、第１のブロック１０および第２のブロック２０を分離した状態を外側（正面）８から見た斜視図である。図４は、第１のブロック１０および第２のブロック２０を内側（背面）７から見た斜視図である。図５は、第１のブロック１０および第２のブロック２０を外側（正面）８から見た図であり、それらのブロック１０および２０を直線的に組み合わせた状態を示す図である。図６（ａ）は、第１のブロック１０を左側から見た側面図であり、図６（ｂ）は、第２のブロック２０を右側から見た側面図である。それぞれのブロックの反対側から見た図は、基本的に左右対称となり、第１の接続部１３および第２の接続部２３の構造は破線により示している。図７（ａ）は、第１のブロック１０の平面図であり、図７（ｂ）は第２のブロック２０の平面図である。図８（ａ）は、第１のブロック１０の底面図であり、図８（ｂ）は第２のブロックの２０の底面図である。
【００２４】
第１のブロック１０および第２のブロック２０は、擁壁１の壁面を構成する第１の壁体１１および第２の壁体２１をそれぞれ有する。第１の壁体１１および第２の壁体２１の構造（構成）は、コーナー側４の構成を除き共通であり、擁壁１を施工する地面または基礎から立脚する本体１２および２２と、本体１２および２２の下側、内側７に向かって延びるように設けられた基礎部４０とを含む。本体１２および２２と、基礎部４０とはＬ字形を形成するように構成されており、全体としてＬ字形のブロックとなっている。
【００２５】
本例の第１のブロック１０および第２のブロック２０の基礎部４０は、本体１２および２２の内側７の下端縁から水平方向に延びるコンクリート製の底板部４１と、底板部４１からさらに内側７に延びた（突き出た）複数の鉄筋４２とを含む。底板部４１は、ブロック１０および２０を保管、輸送または現場に一時的に配置する際にブロック１０および２０を安全に支持できる程度の幅および重量、または重心位置を制御できるものであればよく、例えば、底板部４１の幅（長さ）は、本体１２および２２の底面の幅の０．５〜５倍程度であってもよい。本体１２および２２の底面の幅がブロック１０および２０を一時的に支持するために十分であれば、底板部４１は設けられていなくてもよい。
【００２６】
底板部４１から内側に突き出た鉄筋４２は、ブロック１０および２０により擁壁１として十分な機能を果たすための基礎を形成するために用いられる。擁壁１の重要な機能は、内側７の土圧に対抗することであり、そのために水平方向に十分な長さの基礎を設ける必要がある。その一方、コーナー部２においては、ブロック１０および２０のなす角度θによっては、それぞれのブロック１０および２０から延びた基礎が干渉する可能性がある。
【００２７】
図９にブロック１０および２０により異なる角度θのコーナー部２を施工した状態を示している。図９（ａ）は角度θが７０度、図９（ｂ）は角度θが９０度、図９（ｃ）は角度θが１１０度を示している。現場でコーナー部２を施工する際は、破線で示すように、それぞれにブロック１０および２０から延びた鉄筋４２が重なる領域も含めてコンクリートを打設して基礎４５を施工することにより、角度θに関わらず所定の耐力を備えた擁壁１を施工できる。
【００２８】
なお、ブロック１０および２０の基礎４０の構成は一例であり、上述したように底板部４１が設けられていなくてもよい。逆に、コーナー部２として想定される最少角度θで、相互に干渉しない範囲で予めコンクリートで成形された基礎がプレハブされており、鉄筋が突き出ていないタイプの基礎を備えているものであってもよい。
【００２９】
基礎４０に支持されるブロック１０および２０の本体１２および２２の外面（外壁面）１１ａおよび２２ａは、上述したように、それぞれの上端面１２ｂおよび２２ｂに対して下端面１２ｃおよび２２ｃが外側８に突き出て、下側が広がり、上側が内側７へ後退するような勾配９を備えている。本体１２および２２の内面（内壁面）１２ｄおよび２２ｄは、上端面１２ｂおよび２２ｂに対して下端面１２ｃおよび２２ｃが内側７に突き出て、下側が広がり、上側が外側８へ後退するような勾配９ａを備えていてもよい。この場合、ブロック１０および２０は、外側８から見ても、内側７から見ても、上側が下側に対して後退し、安定した印象を与えやすい。
【００３０】
なお、本体１２および２２の上端面１２ｂおよび２２ｂと、下端面１２ｃおよび２２ｃのサイズ（幅）は、本体１２および２２の高さに対する強度および土圧等に対する耐力などを考慮して決定され、一般的に上端面１２ｂおよび２２ｂの幅の方が、下端面１２ｃおよび２２ｃの幅より狭く、それにより外面１２ａおよび２２ａおよび内面１２ｄおよび２２ｄの勾配が決定される。本例のブロック１０および２０は、上述したように、外面１２ａおよび２２ａの勾配（斜度）９を円錐台状の接続部１３および２３と一致させることが主眼であり、外面１２ａおよび２２ａの勾配９を確保することが重要である。したがって、内面１２ｄおよび２２ｄの勾配は０％であってもよく、外面の勾配９よりも小さくてもよく、大きくてもよく、下端面１２ｃおよび２２ｃに対する上端面１２ｂおよび２２ｂの設計に依存して決定されてもよい。本例では、内面１２ｄおよび２２ｄの勾配９ａが０％のブロック１０および２０を示している。
【００３１】
第１のブロック１０および第２のブロック２０のコーナー側４には、壁本体１２および２２のコーナー側の側面１２ｅおよび２２ｅにそれぞれ繋がる第１の接続部１３および第２の接続部２３が設けられている。一方、第１のブロック１０および第２のブロック２０のコーナー側４とは反対側の側面１２ｆおよび２２ｆは、垂直に切り立った面となっており、擁壁１を構成する他のＬ型擁壁（不図示）と接続できるようになっている。
【００３２】
第１のブロック１０の第１の接続部１３は、円錐台状で、外周面１３ａが壁本体１２の外面１２ａと連続して、段差あるいは凹凸なく、面一で接続されるように、その中心１３ｘが壁本体１２の中心に対して内側７に偏心した位置になるように形成されている。第１の接続部１３は、壁本体１２のコーナー側４の下半部に接続する、あるいは一体となるように設けられており、円形の上面１３ｂの中心１３ｘに中心（中心軸）１３ｘに沿って垂直（鉛直）に延びた孔１５が設けられている。孔１５は、第１の接続部１３を上下に貫通していてもよく、適当な深さの有底の孔であってもよい。壁本体１２のコーナー側４の第１の接続部１３の上部は円錐台状の第２の接続部２３に接するように傾いた側面１２ｅとなっている。側面１２ｅは、第１の接続部１３の上面１３ｂから中心１３ｘの方向に傾く、あるいは突き出るように斜め上に延びており、第２の接続部２３の円錐台状の外周面２３ａに沿うように円弧状に形成されている。側面１２ｅは、第２の接続部２３の円錐台状の外周面２３ａに接するような平面であってもよい。
【００３３】
第１の接続部１３は、本体１２の内面１２ｄから、ブロック１０の内側７に突き出るように構成されており、内側７からみると、第１の接続部１３と本体１２との境界線１２ｇは、上側の本体１２の側面１２ｅとは同一勾配で一直線につながっている。
【００３４】
第２のブロック２０の第２の接続部２３も円錐台状で、第１の接続部１３の円錐台状の形状（第１の円錐台状）の上に、連続して一体の円錐台を形成する形状（第２の円錐台状）を備えている。第２の接続部２３の外周面２３ａも壁本体２２の外面２２ａと連続して、段差あるいは凹凸なく、面一で接続されるように、その中心２３ｘが壁本体２２の中心に対して内側７に偏心した位置になるように形成されている。第２の接続部２３は、壁本体２２のコーナー側４の上半部に接続する、あるいは一体となるように設けられており、円形の上面２３ｂの中心（中心軸）２３ｘに沿って垂直（鉛直）に第２の接続部２３を貫通するように延びた孔２５が設けられている。壁本体２２のコーナー側４の第２の接続部２３の下側は、円錐台状の第１の接続部１３に接するように傾いた側面２２ｅとなっている。側面２２ｅは、第２の接続部２３の底面２３ｃから中心２３ｘに対し離れる方向に傾く、あるいは凹むように斜め下に延びており、第１の接続部１３の円錐台状の外周面１３ａに沿うように円弧状に形成されている。側面２２ｅは、第１の接続部１３の円錐台状の外周面１３ａに接するような平面であってもよい。
【００３５】
第２のブロック２０においても、第２の接続部２３は、本体２２の内面２２ｄから、ブロック２０の内側７に突き出るように構成されており、内側７からみると、第２の接続部２３と本体２２との境界線２２ｇは、下側の本体２２の側面２２ｅとは同一勾配で一直線につながっている。なお、第１の接続部１３および第２の接続部２３の内側７の一部は、コーナー部２を施工したときに外側８に露出しない。したがって、第１の接続部１３および第２の接続部２３の内側７は、一部が欠けた、例えば、平面となるように成形されていてもよい。
【００３６】
第１のブロック１０および第２のブロック２０を、第２の接続部２３および第１の接続部１３が上下に重なるように施工すると、第２の接続部２３の底面２３ｃと第１の接続部１３の上面１３ｂとが同じ形状、例えば、直径が同一の円形であり、第１の接続部１３および第２の接続部２３は、中心軸１３ｘおよび２３ｘが共通する同心状に組み合わされ、それらにより、円錐台状のコーナー組立体３０が構成される。第１の接続部１３の中心軸１３ｘおよび第２の接続部２３の中心軸２３ｘをコーナー３に合わせて、底面２３ｃと上面１３ｂとを摺動面として、中心軸１３ｘおよび２３ｘを中心に第１の壁体１１および第２の壁体２１とを相対的に回転することにより所望の角度θで壁本体１２および２２が交差するコーナー部２を施工することができる。
【００３７】
図１０に擁壁１のコーナー部分２を施工する一例を示している。まず、第１のブロック１０および第２のブロック２０を、コーナー部分２を施工する場所で組み合わせる。第１のブロック１０の第１の壁体１１は、第２のブロック２０の第２の壁体２１と隣接する側（コーナー側）４の下側に第１の円錐台状の第１の接続部１３を含み、第２のブロック２０の第２の壁体２１は、第１の壁体１１と隣接する側（コーナー側）４の上側に、第１の接続部１３に同軸状に繋がり、第１の円錐台状の上側に連続した円錐台形状を形成する第２の円錐台状の第２の接続部２３を含む。さらに、第１の壁体１１の本体１２の隣接する側４の上部の端面１２ｅは、第２の接続部２３の外面２３ａの勾配と共通の勾配の面を含む。端面１２ｅを接続部２３の外面２３ａと共通の勾配とすることにより、組み合わせたときの隙間を小さくできる。その一方、端面１２ｅは、上側が突き出た状態となっているので、第１のブロック１０および第２のブロック２０を上下方向の移動のみで組み合わせることができない。
【００３８】
このため、第１のブロック１０および第２のブロック２０を組み合わせてコーナー部２を施工する際は、第１の壁体１１の第１の接続部１３および第２の壁体２１の第２の接続部２３の少なくともいずれかを水平方向に移動する動きを含めた移動方法により組み合わせる工程を採用する必要がある。例えば、第１のブロック１０を所定の場所に設置したのちに、第２のブロック２０を第１のブロック１０の方向にスライドし、第２の接続部２３と第１の接続部１３とを上下に組み合わせ、第２の接続部２３の貫通孔２５と、第１の接続部１３の孔１５とを一致させる。
【００３９】
次に図１０（ｂ）示すように、鉄筋あるいはその他の棒状の部材５１を、接続部１３および２３の中心軸１３ｘおよび２３ｘに沿って上下に関する貫通孔２５と孔１５とを連結するように挿入する。棒状の部材５１は、第１のブロック１０と第２のブロック２０とを、コーナー３を中心軸１３ｘおよび２３ｘとしてその周りに回転する連結軸となるので、第１の接続部１３および第２の接続部２３を相対的に回転して、壁体１１および２１のなす角度θを所望の角度になるように調整する。
【００４０】
その後、図１０（ｃ）に示すように、棒状の部材５１を抜いたり、あるいはそのままセットした状態で、貫通孔２５にモルタルあるいはその他の接着剤５２を注入し、第１のブロック１０および第２のブロック２０を相互に固定する。その後、図９に示したように、それぞれのブロック１０および２０から内側７に延びた鉄筋４２を適宜組み合わせてコンクリートを打設し、コーナー部２の基礎４５を施工する。
【００４１】
第１のブロック１０と第２のブロック２０との境界の部分、すなわち、第１の接続部１３と第２の壁体２１の端面２２ｅとの間、および第２の接続部２３と第１の壁体１１の端面１２ｅとの間は、相互に回転できるように微小な隙間（クリアランス）が設けられている。したがって、その隙間をモルタルなどで埋めてもよい。
【００４２】
なお、第１の壁体１１および第２の壁体２１がなす角度θは、図９に示す角度に限定されず、現場のコーナー部２の角度に合わせてフレキシブルにセットできる。
【００４３】
図１１に、異なるコーナーブロック５の例を示している。本例の第１のブロック１０および第２のブロック２０の基礎部４０は、本体１２および２２の内側７の下側に、底板部４１を設けずに、２段に内側７に延びた（突き出た）複数の鉄筋４２を含む。鉄筋４２は、上述した例のように１段であってもよく、強度あるいは施工現場に即して３段以上であってもよい。
【００４４】
図１２に、さらに異なるコーナーブロック５の例を示している。本例の第１のブロック１０および第２のブロック２０の基礎部４０は、本体１２および２２の内側７の下側にプレハブされた底板部４１を含む。底板部４１は、第１の壁体１１および第２の壁体２１がなす角度θが可変でも干渉しない形状にプレハブされており、一例は、図示したような三角形、またはそれに近い形状である。基礎部４０の構成はこれらに限定されず、第１の壁体１１および第２の壁体２１をそれぞれ十分な強度で支持できるものであればよく、底板部４１の中心に開口があってもよく、リブなどの他の構成を介して底板部４１と各壁体１１および２１が接続されていてもよい。
【００４５】
このように本例のコーナーブロック５を用いてコーナー部２を施工することにより、コーナー部２の外周面３ａを含めて、外壁面が上方に向かって後退するように傾斜した擁壁１を施工し、提供できる。さらに、コーナー部２は、上方が細い円錐台状の構造３０で構成され、万一、施工時あるいは施工後に、上側の第２の接続部２３が下側の第１の接続部１３よりも外側に少しずれてはみ出したとしても、全体として、不安定な感じや、崩れやすいという印象を与えることはほとんどない。このため、コーナー部２の施工に要する労力を低減でき、優れた美観を有する擁壁１を施工できる。
【００４６】
なお、それぞれの壁体１１および２１のコーナー側４の側面１２ｅおよび２２ｅは、鉛直方向に上下に延びた側面であってもよい。特に、上側の側面１２ｅが鉛直方向に延びていると、第１のブロック１０および第２のブロック２０を上下方向（鉛直方向）から組み合わせることができ、コーナー部２の施工がさらに容易になる。また、第１の接続部１３の上面１３ｂまたは第２の接続部２３の下面２３ｃに接続用の部材を軸１３ｘまたは２３ｘに沿って予め埋設しておくことができる。
【００４７】
また、上記ではコーナー組立体３を上下に二分割した例を説明したが、三分割またはそれ以上に分割してもよい。例えば、第２のブロック２０の第２の壁体２１は、第１の接続部１３に同軸状に繋がり、第１の円錐台状の下部に連続した円錐台形状を形成する第３の円錐台状の第３の接続部を含んでもよい。さらに、第１のブロック１０の第１の壁体１１に、第３の接続部の下側に繋がる円錐台形状の第４の接続部を設けてもよい。また、第１のブロック１０および第２のブロック２０の基礎部４０の構成は、上記に限定しないことは上述した通りである。また、壁体１１および２１は、上端面１２ｂおよび２２ｂに、ガードレール基礎や塀の基礎などの、さらに異なる機能を付加する構成を含んでいてもよい。
【符号の説明】
【００４８】
１  擁壁、  ２  コーナー部
１０  第１のブロック、  １１  第１の壁体、  １２  壁本体、  １３  第１の接続部
２０  第２のブロック、  ２１  第２の壁体、  ２２  壁本体、  ２３  第２の接続部
【図１】
2020139266.tif 000003
【図２】
2020139266.tif 000004
【図３】
2020139266.tif 000005
【図４】
2020139266.tif 000006
【図５】
2020139266.tif 000007
【図６】
2020139266.tif 000008
【図７】
2020139266.tif 000009
【図８】
2020139266.tif 000010
【図９】
2020139266.tif 000011
【図１０】
2020139266.tif 000012
【図１１】
2020139266.tif 000013
【図１２】
2020139266.tif 000014